(57)【要約】【課題】髪をカットするとき、或いはパーマ、トリートメント等を行なうとき、カットした髪の毛やパーマ液、ヘアカラー液等の溶液が衣服等に付着しないように着用するカットクロスであって、特に、首部を締め付けることなく、カットした髪の毛や水滴或いは溶液が襟首から首の回りに侵入しないようにしたカットクロスを提供する。【解決手段】  少なくとも上半身を覆う面積を有するカバー部に、着用者の首部を包囲するための円形開口をなす襟首部が設けられると共に、該襟首部の内周に沿ってヒダ加工が施されたことを特徴とし、前記襟首部の内周に複数のヒダ加工が施され、それぞれのヒダ加工の先端が段状に離間された構成とするのが望ましい。【選択図】図１
0003107951.tif 000002
【実用新案登録請求の範囲】
【請求項１】
少なくとも上半身を覆う面積を有するカバー部に、着用者の首部を包囲するための円形開口をなす襟首部が設けられると共に、該襟首部の内周に沿ってヒダ加工が施されたことを特徴とするカットクロス。
【請求項２】
前記襟首部の内周に複数のヒダ加工が施され、それぞれのヒダ加工の先端が段状に離間されたことを特徴とする請求項１記載のカットクロス。
【請求項３】
前記襟首部から前記カバー部の端辺に向けて切込みが設けられると共に、該切込みによって開口される前記襟首部の両端に面ファスナーが設けられ、両側の面ファスナーの合わせ位置を調整することにより、前記襟首部の内径を調整可能としたことを特徴とする請求項１又は２記載のカットクロス。
【考案の詳細な説明】
【技術分野】
【０００１】  本考案は、理髪店や美容院、或いは家庭等で散髪を行う際に、カットした髪の毛、パーマ液やヘヤカラー液等の溶液、さらには水分等が衣服等に付着しないように着用するカットクロスに関する。
【背景技術】
【０００２】  従来から、理髪店や美容院等で髪をカットするとき、或いはパーマ、トリートメント等を行なうとき、衣服等を汚さないようにするため、着用者の首部の周囲に装着して少なくとも上半身を覆うようにしたカットクロスが用いられている。【０００３】  このようなカットクロスにおいては、カットした髪の毛や水滴或いは溶液が首周りの襟部の隙間から侵入するのを防止するため、カットクロスの襟部を着用者の首部の周囲に固く巻きつけたり、留め具でとめたり、襟部の内側にテープ状の紙を挟んで隙間をなくす等の工夫をしていたのであるが、いずれにしても完全な効果を得ることができず、着用するのに相応の手間を要するものであった。【０００４】  このようなカットクロスの従来技術としては、特許文献１に記載されたものがある。この文献において「理容美容用ケープ」と称されているカットクロスの構成は、図５に示すように、前布２０と後布の上部中央に円形開口部２１が形成され、円形開口部２１の周縁にはテープ状の布地を被覆した襟部２２が形成されてなり、襟部２２の内側全体に着用者の首部の周囲に接触可能なテープ状ゴムシート２３が逢着されていることを特徴とするものである。【０００５】  このような構成により、着用者は襟部の周囲に設けられた面ファスナ２４を接合することによって、この理容美容用ケープ（カットクロス）を首部の周囲に着用すると、テープ状ゴムシートの内側縁部がゴムの弾性を発揮して着用者の首の回りにぴったりと接触し、また着用者に動きが生じた場合でも、ゴムの弾性によりテープ状ゴムシートの内側縁部が着用者の首の回りから離れずに接触することによって、カットした髪の毛や水滴或いは溶液が首周りの襟部の隙間から侵入するのを防止するようにしている。
【特許文献１】特開２０００−４１７３５号公報
【考案の開示】
【考案が解決しようとする課題】
【０００６】  ところが、上記の特許文献１の考案は、その構造上、襟部の周囲に弾性を有するテープ状ゴムシートが逢着された構成であるため、着用者に動きが生じた場合でもテープ状ゴムシートの内側縁部が着用者の首の回りから離れずに密着させるには、このテープ状ゴムシートに相当の弾性が要求されるため、通常の使用においては着用者の首部を締め付けすぎるという欠点がある。【０００７】  いずれにしても、理髪店や美容院においては、来客者が安楽な気分で過ごしてもらうことも重要な事柄であって、上記のように首部を締め付けるような着用感を有するカットクロスでは、来客者の健康をも阻害するおそれがある。【０００８】  本考案は上記のような事情に鑑みてなされたもので、髪をカットするとき、或いはパーマ、トリートメント等を行なうとき、カットした髪の毛やパーマ液、ヘヤカラー液等の溶液が衣服等に付着しないように着用するカットクロスであって、特に、首部を締め付けることなく、カットした髪の毛や水滴或いは溶液が襟首から首の回りに侵入しないようにしたカットクロスを提供することを目的とする。
【課題を解決するための手段】
【０００９】  上記の目的を達成するため、本考案の請求項１のカットクロスは、少なくとも上半身を覆う面積を有するカバー部に、着用者の首部を包囲するための円形開口をなす襟首部が設けられると共に、該襟首部の内周に沿ってヒダ加工が施されたことを特徴とする。【００１０】  また、本考案の請求項２のカットクロスは、請求項１において、前記襟首部の内周に複数のヒダ加工が施され、それぞれのヒダ加工の先端が段状に離間されたことを特徴とする。【００１１】  さらに、本考案の請求項３のカットクロスは、請求項１又は請求項２において、前記襟首部から前記カバー部の端辺に向けて切込みが設けられると共に、該切込みによって開口される前記襟首部の両端に面ファスナーが設けられ、両側の面ファスナーの合わせ位置を調整することにより、前記襟首部の内径を調整可能としたことを特徴とする。
【考案の効果】
【００１２】  本考案のカットクロスによれば、少なくとも上半身を覆う面積を有するカバー部に、着用者の首部を包囲するための円形開口をなす襟首部が設けられると共に、該襟首部の内周に沿ってヒダ加工が施されているため、首部を締め付ける構成ではなく、カットした髪の毛やパーマ液、ヘヤカラー液等の溶液が首部から衣服等に侵入するのを阻止することが可能となる。【００１３】  また、襟首部の内周に複数のヒダ加工が施され、それぞれのヒダ加工の先端が段状に離間されているため、襟首から首の回りに侵入してきたカットした髪の毛や水滴或いは溶液等が、上記のヒダ加工による複数の段状の隙間に侵入することにより、着用者の首部から服装の内部に侵入することを防止することができる。【００１４】  さらに、襟首部から前記カバー部の端辺に向けて切込みが設けられると共に、該切込みによって開口される襟首部の両端に面ファスナーが設けられ、両側の面ファスナーの合わせ位置を調整することにより、襟首部の内径を調整可能とすることができる。
【考案を実施するための最良の形態】
【００１５】  以下、本考案の実施例について図面を参照しながら説明する。
【実施例１】
【００１６】  本考案のカットクロス１は、図１に示すように、少なくとも上半身を覆う面積を有するカバー部２に、着用者の首部３（図４参照）を包囲するための円形開口をなす襟首部４が設けられると共に、該襟首部４の内周に沿ってヒダ加工５が施されたものである。【００１７】  このようなカットクロス１の構成について詳細に述べると、カバー部２は布や紙或はポリオレフィン系樹脂やナイロン樹脂等の合成樹脂等の不透明または不透明なシート体で形成されている。また、このカバー部２に防水加工又は撥水加工を施すことによって、髪の毛のカットだけではなく、パーマ液やヘヤカラー液等の溶液を使用する際にも、着用者の衣服が汚れないものとしてもよい。【００１８】  このようなカバー部２は、図３に示すように、その展開形状においては、ほぼ長方形状を有し、その上辺中央から切り込み６が形成され、この切り込み６の下端に円形開口を成す襟首部４が設けられている。【００１９】  本実施例においては、このような襟首部４の内周に沿って、図１に示すように、襟首部４の全内周を充足するほどの長さを有する複数（本実施例においては２片）のヒダ部材７が上下に離間した状態で糸８により縫合され、このような構成によって、それぞれのヒダ加工５、即ちヒダ部材７の先端が段状に離間された状態にされている。このような構成により、襟首から首の回りに侵入してきたカットした髪の毛や水滴或いは溶液等が、図２に示すヒダ加工５の複数の段状の隙間１１、１１…に侵入して着用者の首部から服装の内部に侵入することを防止することができる。【００２０】  さらに、本実施例においては、上記のように襟首部４からカバー部２の端辺９に向けて設けられた切込み６によって開口される襟首部４の両端に面ファスナー１０ａ、１０ｂが設けられ、両側の面ファスナー１０ａ、１０ｂの合わせ位置を調整することにより、襟首部４の内径を着用者の体格等に応じて調整可能としている。
上記の構成により、本実施例のカットクロス１を着用すると、首部３を締め付けることなく、ゆったりした着用感で、襟首部の内周に施されたヒダ加工によって、カットした髪の毛やパーマ液、ヘヤカラー液等の溶液が首部から衣服等に侵入するのを阻止することが可能となる。
【産業上の利用可能性】
【００２１】  本考案のカットクロスは、髪をカットするとき、或いはパーマ、トリートメント等を行なうとき、カットした髪の毛やパーマ液、ヘアカラー液等の溶液が衣服等に付着しないように着用するものであって、特に、首部を締め付けることなく、カットした髪の毛や水滴或いは溶液が襟首から首の回りに侵入しないカットクロスとしての利用が可能となる。
【図面の簡単な説明】
【００２２】
【図１】本考案によるカットクロスの襟首部の部分拡大図である。
【図２】本考案によるカットクロスの襟首部の断面状況を示す部分図である。
【図３】本考案によるカットクロスを構成するカバー部の展開状況を示す平面図である。
【図４】本考案によるカットクロスを着用した状況を示す図である。
【図５】特許文献１のシステム手帳用シートの平面図である。
【符号の説明】
【００２３】１…カットクロス
２…カバー部
３…着用者の首部
４…襟首部
５…ヒダ加工
６…切り込み
７…ヒダ部材
９…カバー部の端辺
１０ａ、１０ｂ…面ファスナー
１１…ヒダ加工の隙間
【図１】
0003107951.tif 000003
【図２】
0003107951.tif 000004
【図３】
0003107951.tif 000005
【図４】
0003107951.tif 000006
【図５】
0003107951.tif 000007